(57)【特許請求の範囲】
【請求項１】
おもて表紙・背表紙・裏表紙が一体化した書籍型で構成された外カバンと、前記背表紙の内側に設けられた綴じ具と、前記背表紙に平行した底を一辺とした直方体の一部に開口部を設けた中カバンと、前記中カバンと前記外カバンを一体化させる連結用具とを備え、前記中カバンは伸縮性繊維を使用して前記綴じ具に綴じられた書類や冊子・小物などを収納物することを特徴とするカバン型ファイルバインダー。
【発明の詳細な説明】
【技術分野】
【０００１】本発明は、カバンの機能を持ったファイルバインダーに関するものである。
【背景技術】
【０００２】多穴・２穴パンチ装置で穿孔処理した書類や冊子・市販のルーズリーフを綴じるファイリング用具は、ファイルやバインダーの背表紙の内面にリベットという留め具でカシメ装着した金属或いは樹脂の開閉式リングバインダーや、最近では無穴の穿孔不可能な書類や冊子を綴じるＺ型金具やパイプ型のファイリング用具が使用されていることは、一般に広く知られており、ファイルやバインダーは、おもて表紙・背表紙・裏表紙が一体となっている書籍型が一般的であり、持ち運びにはファイルやバインダーをカバンに入れて運ぶことが多い。カバンにファイリング用具を装着した物が市販されているがカバンとして機能しているため、ソフトカバーの物、ハードカバーでも大型の物、比較的高価な物がほとんどで事務用棚や家庭用書棚に収容せずに使用し、一般的には使用者は少なく依然としてカバンにファイルやバインダーを入れて持ち運びしている人がほとんどである。
【先行技術文献】
【特許文献】
【０００３】
【特許文献１】特開２００７−２２０４８
【発明の概要】
【発明が解決しようとする課題】
【０００４】使用頻度の高い冊子や書類をファイルやバインダーに挟み、持ち運ぶ際は一般的に手や腕にファイルやバインダーの本体を支えて運搬するか、ファイルやバインダーをカバンに収容し運搬するが、作業の途中で冊子や書類の紛失・破損が起こりやすく、ファイルやバインダーは頑丈に製作されており角が硬く、ファイルやバインダーを持ち運びする際に収納するカバンを破損・変形させることがあるため、使用するカバンに苦慮する。また、分厚く多量の書類を挟んだファイルやバインダーだと書棚から取り出し難く、手や腕で把持するのは重たい。書類を持ち出し運ぶ時は、分厚いファイルやバインダーから必要な書類を選び出し、スリムなファイルやバインダーに移し替える作業も増え、さらに手間がかかることになり、用が済めば書類を元に収納しなおす作業も増えるが、カバンにファイリング用具を取り付けた物はカバンとしての機能が大きく、書類以外の物を一緒に収納するため大型の物やソフトカバーの物が多く、事務用の棚や家庭用の書棚に収納できない上、高価なため一般的に普及しない。
【課題を解決するための手段】
【０００５】
本発明は、使用頻度の高い冊子や書類を挟んだ書籍型の一般的なファイルに手提げカバンの機能を持たせるため、背表紙にファイリング用具を取り付ける際に同時に手提げを設け外カバンとし、中カバン部分は通常使用しない伸縮性繊維をあえて使用し、小物の収容や棚の出し入れを阻害しないような形に作成し、面テープやスナップボタン・ヒモ等の連結道具でファイルやバインダーに連結し六面体のカバン型にする方法や、背表紙に平行したカバンの底部とカバンの両側面を作成し、ファスナーを連結道具に使用してファイルやバインダーに連結させることによって六面体のカバンを形成する方法で、ファイリング用具に綴じられた書類や冊子や小物を収納することができる持ち運び用手提げカバンの機能が付加され、事務用棚や書棚に保管できる低価格で提供するカバン型ファイルバインダーである。
【発明の効果】
【０００６】
本発明のカバン型ファイルバインダーは、ファイルやバインダーを手提げカバンにしたので棚からの取り出しが楽になり、持ち運び時に書類の移し替えの作業を削減し、小物も収納できる効果がある。また、書類がファイリング用具から外れてもカバンに保護されているので破損・紛失の問題が解決されるという効果がある。またファイルやバインダーの大きさなので大きなカバンを持たずにコンパクトに持ち運びでき、ファイルの材質等を使用して低価格で生産することができる効果がある。
また、カバンの本体外側に留め金等の付属物は取り付けていないので、棚からの出し入れがスムーズに行える。
【図面の簡単な説明】
【０００７】
【図１】図１は本発明のカバン型ファイルバインダーの外カバン１〜５を示す立位斜面図である。
【図２】図２は本発明の開いた外カバン１〜５に書類を挟んだ図である。
【図３】図３は本発明のカバンの底面・両側面を形成する中カバン９である。
【図４】図４は本発明の伸縮繊維で形成された中カバン９の、両側面を指で引き延ばした図である。
【図５】図５は本発明の書類や冊子７を中カバン９に入れた図である。
【図６】図６は本発明の中カバン９を装着したカバンの下部側面図である。
【図７】図７は本発明の中カバン９を装着したカバンの上部側面図である。
【図８】図８は本発明の他の実施例のカバン型ファイルバインダーの背表紙側の立位斜面図である。
【図９】図９は本発明のファスナー１６、１７、１８、１９の４本で書類と手提げ２１を包み込んでカバンを形成した小口（背表紙の反対側でカバンの時は上部）立位斜面図である。
【図１０】図１０は本発明の小口（背表紙の反対側でカバンの時は上部）中央部のファスナー１６、１７、１８、１９を少し解放し、手提げ２１を取り出した時の横位側面図である。
【図１１】図１１は本発明のファスナー１６、１７、１８、１９を綴じた時の小口（背表紙の反対側でカバンの時は上部）正面図である。
【図１２】図１２は本発明のファスナー１６、１７、１８、１９を少し解放した時の小口（背表紙の反対側でカバンの時は上部）正面図である。
【図１３】図１３は本発明のファスナー１６、１７、１８、１９を側面まで解放し、中に収納している手提げ２１を取り出した時の小口（背表紙の反対側でカバンの時は上部）正面図である。
【図１４】図１４は本発明のファスナー１６、１７、１８、１９全開放時のその他の実施例のカバン型ファイルバインダー。
【発明を実施するための形態】
【０００８】ファイルやバインダーは、面テープで中カバンと連結したカバン型ファイルバインダー図１と、ファスナーを使用して連結したその他の実施例のカバン型ファイルバインダー図８を作成する。
【０００９】ファイルやバインダーは図１の外カバン１から５を構成し、中カバン９は連結用具１０がはみ出さない様に形成して棚からの出し入れをスムーズにする。
【００１１】中カバン９は図３に示すように直方体の形状に構成されており、図４に示すように袋状に構成されている。中カバン９は、カバン型ファイルバインダーの外カバン１から５と一体化させてカバンを形成し、通常カバンに用いられない伸縮性繊維を用いて四角く縫製するが、その目的は硬質シート等で中カバンを作成すると容量が限定されてしまうことや棚からの出し入れの摩擦で棚を損傷させる可能性があるので、伸縮性繊維を使用することで書類や冊子以外にも小物が収納でき棚からの出し入れで棚の損傷を防ぎ、綴じ具に挟んだ書類を中カバンに入れる時に伸びる繊維なので指詰めの心配が無く収納しやすくなり、挟んだ書類も伸縮繊維の利点を生かし圧迫固定するため綴じ具のリングの中央から書類が外れても破損・紛失しにくくなるが、中カバンと外カバンの連結には両外側に面テープやスナップボタン・ヒモ・ファスナー等の連結用具を付け、大きさは書類や冊子を折り曲げないように書類の大きさと同程度か微妙に大きくし背表紙の厚みで作成し、外カバンからはみ出ない様にやや小さめに製造する。
【００１２】図５は、中カバン９の口から書類や冊子７を入れたあと小物を中カバン９に入れた状態で、中カバン９と外カバン１から５の表紙裏側との連結に面テープ１０を使用した場合であり、ファイルやバインダーの裏側に装着した面テープ８と中カバン９のおもて側に面テープ１０で連結し一体化させてカバン型ファイルバインダーを形成する。図６は中カバン９が外カバンのおもて表紙と裏表紙に挟まれて収納された状態を示す。図７はリングバインダー（綴じ具）６に書類７を綴じて、その書類７を中カバン９で覆い、面ファスナー８と１０で中カバン９を固定した状態を示す。
【実施例２】
【００１３】図８は、その他の実施例でカバン型ファイルバインダーの背表紙側から見た斜面図で、リベット１５のような留め具が４個あり、綴じ具を背表紙にリベットのような留め具でカシメ時に、薄い頑丈なテープでカバンの手提げを装着すると、低価格で容易に手提げ１４を形成するが、カバンとして持ち運び用の手提げ２１は図１０、図１４に示したようにファイルの小口（背表紙の反対側でカバンの時は上部）の裏側に装着して背表紙にある手提げ１４に掛る負担を分散する。図１１は小口正面図でファスナー１６・１７・１８・１９を示しており、図１２に示したようにファスナー１６・１７・１８・１９を開けて、図１３に示したようにファイルやバインダーの小口の中から手提げ２１を取り出し、カバンとして運搬時に使用する。【００１４】図９は小口側から見た、その他の実施例のカバン型ファイルバインダーの斜面図である。日常はファイルやバインダーとして機能するので、ファスナー１６・１７・１８・１９の取り付けは表紙１１と表紙１２からはみ出さない様に縫い付け、背表紙１３に増設したカバンの側面２２との接合部２０は背表紙の上下端から奥に縫い付けるか貼り付けてはみ出さないように造作してからファスナー１６・１７・１８・１９を表紙に縫い付けると凹型となり書棚を摩擦させない。
【符号の説明】
【００２４】１  おもて表紙
２  裏表紙
３  背表紙
４  手提げ
５  リベット（留め具）
６  リングバインダー  （綴じ具）
７  書類や冊子
８  面テープ          （連結用具）
９  中カバン
１０  面テープ        （連結用具）
１１  オモテ表紙
１２  裏表紙
１３  背表紙
１４  手提げ１
１５  留め具
１６  ファスナー１
１７  ファスナー２
１８  ファスナー３
１９  ファスナー４
２０  接合部
２１  手提げ２
２２  カバン側面と上部
２３  小口（青表紙の反対側でカバンの時は上部）中央
２４  綴じ具
【要約】
【課題】使用頻度の高い冊子や書類を持ち運びする際に、ファイルやバインダーに挟む事が多く、さらにその前記ファイルやバインダーをカバンに入れて持ち運びするなど手間が掛かる上、書類を移し替える時や運搬時に書類を紛失・破損する可能性があり、またファイルやバインダーは頑丈に出来ており、硬質シートで角が硬いなどの構造から、前記ファイルやバインダーを収容するカバンを損傷することがあるため、持ち運びに苦慮する。カバンに綴じ具を装着した物も販売されているがカバンとしての機能が大きく、書棚に保管できない上、高価なため一般的にはカバンにファイルやバインダーを入れて持ち運びしていることが多い。
【解決手段】ファイルやバインダーを、カバン型のファイルバインダーにして冊子や書類は当然ながら小物も収納して書棚に保管でき、そのまま持ち運びできる低価格で提供できるカバン型ファイルバインダー。
【選択図】図１【図１】
0004614014.tif 000002
【図２】
0004614014.tif 000003
【図３】
0004614014.tif 000004
【図４】
0004614014.tif 000005
【図５】
0004614014.tif 000006
【図６】
0004614014.tif 000007
【図７】
0004614014.tif 000008
【図８】
0004614014.tif 000009
【図９】
0004614014.tif 000010
【図１０】
0004614014.tif 000011
【図１１】
0004614014.tif 000012
【図１２】
0004614014.tif 000013
【図１３】
0004614014.tif 000014
【図１４】
0004614014.tif 000015